(57)【特許請求の範囲】
【請求項１】
糸の周りに離脱可能に留められるおもりまたは浮きであって、
閉じた位置にあるとき前記糸の導管路を形成するように成形されており、それぞれ、少なくとも、それぞれ沈む効果または浮く効果を提供する高密度または低密度の材料の部分を具備する、二つの部材と、
前記二つの部材を閉じた位置に離脱可能にロックするロッキング手段と、
前記高密度または低密度の材料の対応する部分と着脱可能に係合する一つ以上の開口を有することによって、前記高密度または低密度の材料を保持する被覆体と、
を具備するおもりまたは浮き。
【請求項２】
前記二つの部材は、前記被覆体のヒンジ連結によってはめ合わされる、請求項１に記載のおもりまたは浮き。
【請求項３】
前記ロッキング手段は前記被覆体と一体になっている、請求項１または請求項２に記載のおもりまたは浮き。
【請求項４】
前記被覆体は、前記高密度または低密度の材料をヒンジ連結によって保持する、請求項１から請求項３のいずれかに記載のおもりまたは浮き。
【請求項５】
前記被覆体は弾性である、請求項１から請求項４のいずれかに記載のおもりまたは浮き。
【請求項６】
前記被覆体は、その内部に保持された前記高密度または低密度の材料を特定の配向で位置合わせするように成形される、請求項１から請求項５のいずれかに記載のおもりまたは浮き。
【請求項７】
前記被覆体は、前記高密度または低密度の材料側の対応する陥凹部分によって受けられる、位置合わせ用の突起部分を含む、請求項６に記載のおもりまたは浮き。
【請求項８】
前記被覆体は、前記部材の一方を保持する第１の部分と他方の部材を保持する第２の部分とを有し、前記ロッキング手段は、前記被覆体の前記第１の部分に付属した弾性のタブを具備し、前記タブは前記被覆体の前記第２の部分に付属した、対応するタブを受ける部分にはまり合う、またははまり込む、請求項１から請求項７のいずれかに記載のおもりまたは浮き。
【請求項９】
前記部材の少なくとも一方は隆起部分を有し、他方は対応する陥凹部分を有し、前記対応する陥凹部分は、前記部材が閉じた位置にあるときに前記隆起部分を受けるように適合される、請求項１から請求項８のいずれかに記載のおもりまたは浮き。
【請求項１０】
各部材が隆起部分と、対応する陥凹部分の両方を有し、前記陥凹部分は各々の隆起部分を受けるように適合される、請求項９に記載のおもりまたは浮き。
【請求項１１】
前記隆起部分と陥凹部分は、前記導管路に隣接する、請求項９または請求項１０に記載のおもりまたは浮き。
【請求項１２】
前記隆起部分と陥凹部分は、前記部材の前記高密度または低密度の材料部分の長さと実質的に同じ長さにわたる、請求項９から請求項１１のいずれかに記載のおもりまたは浮き。
【請求項１３】
前記高密度または低密度の材料は、取り出すことが可能である、請求項１から請求項１２のいずれかに記載のおもりまたは浮き。
【請求項１４】
前記導管路は、実質的に直線である、請求項１から請求項１３のいずれかに記載のおもりまたは浮き。
【請求項１５】
糸の周りに離脱可能に留められるおもりまたは浮きであって、
二つの部材であって、前記部材の少なくとも一方は隆起部分を有し、他方の部材は、前記二つの部材が閉じた位置にあるときに前記隆起部分を受けるための対応する陥凹部分を有し、前記部材の少なくとも一方の内側表面は、閉じた位置にあるときに前記糸の導管路を形成するように成形されており、それぞれ沈む効果または浮く効果を提供する高密度または低密度の材料の部分を具備する、二つの部材と、
前記部材を内部に保持するために、前記部材の対応する部分と着脱可能に係合する一つ以上の開口を具備する異なる材料の被覆体と、
前記二つの部材を閉じた位置に離脱可能にロックするロッキング手段と、
を具備するおもりまたは浮き。
【請求項１６】
前記被覆体は、保持した前記部材をヒンジ連結よってはめ合わせるヒンジ手段をさらに具備する、請求項１５に記載のおもりまたは浮き。
【請求項１７】
前記おもりまたは浮きは、再使用可能である、請求項１から請求項１６のいずれかに記載のおもりまたは浮き。
【発明の詳細な説明】
【技術分野】
【０００１】
本発明は、広くは、おもりに関係し、より具体的には、釣り糸上に使用される離脱可能なおもりに関係する。
【背景技術】
【０００２】
［ここでの背景技術の単なる参照は、その技術が本発明に関連した共通の一般知識を表わしていると認めるものと解釈されるべきではない。］
おもりは、釣り針、ルアー、及び／または餌の付いた糸を水中に沈めさせるために、釣り糸に付けられて、魚釣りに使用される高密度の重りである。おもりはまた、ある場合には、釣り糸の投げ込み可能な距離を増加するためにも使用される。おもりは、ほぼ球状、円筒形、円錐形の形状を含む多種多様な形状とサイズのものがある。
【０００３】
おもりを糸に固定可能にするために、通常、おもりには穴が設けられ、その穴に糸を通し、次に、糸は通常結んでとめられる。おもりを糸に固定するこの方法の欠点は、そのようにするのは比較的手間がかかることである。またさらに挙げられる欠点は、おもりを取り外すまたは交換する必要がある場合に、糸をほどき、おもりを取り外す／交換するようにしなければ、大抵、糸を切りやすいことである。これは不便であり、時間がかかり、また切れた部分が無駄になるため、釣り糸を余計に使い果たす。
【０００４】
時には、糸を受けるくさび形の切り込みがおもりに付いていることがあるが、糸がおもりから外れるのを防ぐために、工具を使っておもりを糸の周りに圧着する必要がある。これは、おもりを糸に付着させる上では役に立つが、糸からおもりを取り外すには役に立たない、つまりおもりは再使用できないことになる。さらにまた、この方法は、通常、圧着位置でおもりを糸に取り付けるので、おもりが糸上をもはや「動く」ことができなくなることを意味し、場合によっては、圧着行為が糸を傷つけたり、または弱めたりする可能性があり、時には糸の切断を引き起こす。
【０００５】
同様の欠点が、釣り糸の浮きについても知られており、浮きの取り付け、取り外し及び交換方法は、おもりの場合と基本的に同様である（例えば、糸の周りに取り付ける）にもかかわらず、釣り人は、普通、おもりと浮きの両方を別々に携行しなければならない。
【発明の概要】
【発明が解決しようとする課題】
【０００６】
本発明の目的は、上述した一つ以上の欠点または問題を克服するまたは改善する、または少なくとも便利な代替物を提供する、改良された魚釣り用のおもりを提供することである。
【課題を解決するための手段】
【０００７】
本発明の広い態様によれば、糸の周りに離脱可能に留められるおもりまたは浮きが提供される。
【０００８】
上記おもりまたは浮きは、閉じた位置にあるとき糸の導管路を形成するように成形された二つの部材を具備し、各部材は、少なくとも、高密度または低密度の材料（それぞれ、沈む効果または浮く効果を提供する）の部分を具備する。
【０００９】
上記おもりまたは浮きは、上記二つの部材を閉じた位置に離脱可能にロックするロッキング手段を具備する。
【００１０】
本発明のある態様によれば、糸の周りに離脱可能に留められるおもりまたは浮きが提供される。
【００１１】
上記おもりまたは浮きは二つの部材を具備し、上記部材の少なくとも一方は隆起部分を有し、他方の部材は、上記二つの部材が閉じた位置にあるときに上記隆起部分を受けるための対応する陥凹部分を有し、上記部材の少なくとも一方の内側表面は、閉じた位置にあるときに糸の導管路を形成するように成形される。
【００１２】
上記部材の各々は、実質上、高密度または低密度の材料（それぞれ、沈む効果または浮く効果を提供する）の部分を具備するとともに、上記高密度または低密度の材料を保持し、上記二つの部材を閉じた位置に離脱可能にロックするためのロッキング手段を備える異なる材料の被覆体を有する。
【００１３】
本発明の別の態様によれば、糸の周りに離脱可能に留められるおもりまたは浮きが提供される。
【００１４】
上記おもりまたは浮きはヒンジで連結された二つの部材を具備し、上記部材の少なくとも一方は隆起部分を有し、他方の部材は、上記二つの部材が閉じた位置にあるときに上記隆起部分を受けるための対応する陥凹部分を有し、上記部材の少なくとも一方の内側表面は、閉じた位置にあるときに糸の導管路を形成するように成形される。
【００１５】
上記ヒンジで連結された部材の各々は、実質上、高密度または低密度の材料（それぞれ、沈む効果または浮く効果を提供する）の部分を具備するとともに、上記高密度または低密度の材料を保持し、上記二つの部材を閉じた位置に離脱可能にロックするためのロッキング手段を備える異なる材料の被覆体を有する。
【００１６】
上記被覆体は、好ましくは、少なくとも上記高密度または低密度の材料の外表面を実質上覆い、好ましくはプラスチックで作られる。上記被覆体は、閉じた位置にあるとき、上記高密度または低密度の材料の外表面の全部を覆うことができ、または上記高密度または低密度の材料を完全に包み込むことができる。これは、高密度または低密度の材料を保護するだけでなく、高密度または低密度の材料からの成分を阻止もする（例えば、高密度または低密度の材料が毒性である等と見なされる場合に）。代替的に、上記高密度または低密度の材料は、さらにその上のカバーまたはコーティングを有してもよい。高密度または低密度の材料の被覆体、包装体、カバー及び／またはコーティングは、外側被覆または粉体塗装によって被着可能である。
【００１７】
上記被覆体は、彩色され得る及び／またはブランドまたは広告をその面／面下に刻印、型彫、貼り付けまたは印刷され得る（ここに挙げたものがすべてではなく、ブランドまたは広告を付着させるその他の方法も可能であると想定される）。
【００１８】
上記被覆体は、上記高密度または低密度の材料を収容し保持するように成形され得る、または被覆体の内に上記高密度または低密度の材料を保持するために、高密度または低密度の材料側の対応する部分を受けるための開口を有することができる。好ましくは、上記被覆体は、上記高密度または低密度の材料を特定の配向で位置合わせするように成形される。例えば、上記被覆体は、高密度または低密度の材料側の対応する陥凹部分によって受けられる、リブなどの突起部分を有することができる、及び／または上記被覆体は非対称であり得る。
【００１９】
好ましくは、上記高密度または低密度の材料は、取り出して、取り替えて、被覆体内へ戻すことが可能であるが、高密度または低密度の材料を被覆体内に貼り付けることができることも想定される。高密度または低密度の材料が容易に被覆体内に入れられて、その後保持されるように、上記被覆体は弾性であり得る。さらに、高密度または低密度の材料の取り出しを容易にするために、上記被覆体は一時的に変形可能であり得る。
【００２０】
上記被覆体は、典型的に、一対の対応する開口（通常、被覆体の各分割部分に一つの開口）を有し、被覆体の対向する両側に一つずつ開口が対をなして付いていて、これらの開口は、高密度または低密度の材料ブロック中の導管路と位置合わせされている。糸に対しておもりをしっかりと位置付けて、その位置に維持するために、これらの開口は、糸が開口を通り伸びるときに糸を軽くつかむように適合され得る、またはおもりが自由に動けるように、これらの開口は糸との間に隙間をとるようにされ得る。
【００２１】
上記ロッキング手段は、好ましくは、上記部材の少なくとも一方にタブを具備し、このタブは他方の部材の対応する部分にはまり合う、またははまり込む。タブは、他方の部材の突起部を受ける開口またはスリットを備えることもできる。タブは、通常、開口またはスリットの対応する部分に係合するショルダー部を有する。上記ロッキング手段は、ロッキング手段の操作によっては開放または離脱され得る（ロッキング手段は、典型的に、プラスチックで作られるので、通常、小程度の弾性を有する）。
【００２２】
好ましくは、各部材は隆起部分を有し、他方の部材は、二つの部材が閉じた位置にあるときに上記隆起部分を受けるための対応する陥凹部分を有し、さらに好ましくは、上記隆起部分と陥凹部分は、上記部材の高密度または低密度の材料部分の長さと実質的に同じ長さにわたる。さらに、各部材の上記隆起部分と陥凹部分は、上記導管路に隣接することが好ましい。
【００２３】
上記導管路は、導管路と糸の間の摩擦が最小になるように、直線であり及び／または寸法を決められ得る、または上記摩擦を増加させるように形状及び／または寸法を決められ得る。導管路は、導管路と糸の間の摩擦をかなり大きくするように、拘止されるまたは「留める」部分をおもり／浮き有することもできる。導管路の特性は、したがって、おもり／浮きが糸とどのように相互作用するかを制御する。例えば、糸よりも大きな直線の導管路を備えれば、おもり／浮きは自由に糸上を行き来する（例えば、おもりが糸の周りに留められる場合、糸を手繰り出したりまたはリールで巻き取ったりしなくてもおもりは糸を伝って落下する）。対照的に、糸に係合する（または糸の自由な移動を抑止するような形状にされた）導管路を備えれば、おもり／浮きは、それが付着された糸上のその位置に固定される。
【００２４】
典型的に、おもりの場合には、高密度の材料は鉛である。しかしこれは、限定するものと見なすべきではない。高密度の材料は、スズ、ビスマス、鋼、タングステン−ニッケル剛毅、及びタングステン充填ナイロンを含む、いずれかの適当な材料であり得る。一方、低密度の材料は、（例えば、ポリスチレンなどの）低密度の材料だけでなく、浮揚室または中空のプラスチック室などの中空の部材をも含み得る。
【００２５】
好ましくは、上記ヒンジで連結された二つの部材は、上記被覆体の柔軟なまたは弾性の部分によってヒンジ連結される。ヒンジは、好ましくは、ライブ・ヒンジ（live hinge）であり、外側へ張り出して付けられてもよいし、または内側に付けられてもよい。代替的に、ヒンジは異なる部品または材料であってもよい。
【００２６】
好ましくは、本おもり／浮きは再使用可能である。おもり／浮きを取り外すためには、上記ロッキング手段が離脱されて、おもり／浮きが糸から取り外される。おもり／浮きのどの部分も使用後に実質的に変形されないので、最初に付着させたとおりに、おもり／浮きを糸に再び付着させることができる。
【００２７】
本おもり／浮きは、大消費市場向けまたは国内用途のどちらにも使用可能であり、それに応じてサイズを決めることができる。本おもり／浮きのサイズは、したがって、限定的であると見なすべきではない。
【図面の簡単な説明】
【００２８】
【図１】糸がおもりの中を通っている開いた位置における、おもり（または浮き）の斜視図を示す。
【図２】閉じた位置における、図１に示したおもりの斜視図を示す。
【図３】閉じた位置における、図１のおもりの正面斜視図を示す。
【図４】閉じた位置における、図１のおもりの後面斜視図を示す。
【図５Ａ】閉じた位置における、図１のおもりの正面図を示す。
【図５Ｂ】閉じた位置における、図１のおもりの側面図を示す。
【図５Ｃ】閉じた位置における、図１のおもりの後面図を示す。
【図５Ｄ】閉じた位置における、図１のおもりの上面図を示す。
【図５Ｅ】閉じた位置における、図１のおもりの底面図を示す。
【図６】開いた位置における、図１のおもりの側面図を示す。
【図７】開いた位置における、図１のおもりの正面斜視図を示す。
【図８】閉じた位置における、図１のおもりの断面図を示す。
【図９】異なる実施形態によるおもりの分解図を示す。
【発明を実施するための形態】
【００２９】
本発明がより容易に理解され、実現され得るように、添付の図面を参照し、単に例として、本発明の一つ以上の実施形態をこれから説明する。
【００３０】
図１は、開いた位置における、糸１１の周りに離脱可能に留められ得るおもり１０を例示する。おもり１０（または浮き、ただし以下では、主におもりとだけ言う）は、上半分１２と下半分１３の二つの部材からなる。図１〜図８に例示した実施形態では、これらの半分１２と１３は、二つの半分１２と１３が開き、糸１１を受け、糸１１の周りまたは上に閉まる（例えば、図２に見られるように）ことができるように、部位１４を中心にヒンジで連結される。
【００３１】
半分１２と１３の各々は、高密度または低密度の材料でできている内部１５を備える。内部材料１５の密度は、おもり１０が水に沈むか、または浮くかを主に決定する。例えば、内部材料１５が高密度（例えば、鉛）である場合、おもり１０は水に沈み、内部材料１５が低密度（例えば、浮揚室または中空のプラスチック室）である場合、「おもり」１０は代わりに浮きになる（これを「おもり」と言うが、それによって意味されるものは限定されない）。
【００３２】
各半分１２と１３はまた、内部材料１５を収容し、保持する被覆体１６を有する。被覆体１６は、被覆体１６の柔軟なまたは弾性の部分によって上記半分１２と１３が部位１４においてヒンジで連結されるように、プラスチックまたはその他のいずれかの適当な材料で好ましくは作られている。被覆体１６は、全体が柔軟なまたは弾性の材料で作られてもよいし、または代替的に、ヒンジ連結部位１４だけが柔軟または弾性であってもよい。ヒンジは、好ましくは、ライブ・ヒンジ（live hinge）であり、外側へ張り出して付けられてもよいし、または内側に付けられてもよい（図に示すように）。
【００３３】
被覆体１６はまた、下半分にある対応する部分１８にロックする、上半分１２にあるタブ１７の形をしたロッキング手段を有する。ロッキング・タブ１７は、図２〜図５及び図８に示すように、対応する部分１８の突起２０を受ける開口１９を有する。例えば、下半分のリップまたはエッジに係合する開口なしのロッキング・タブ、またはフック、ラッチ、ねじり結合、等のその他のロッキング手段も実現され得ると想定される。
【００３４】
被覆体は、内部材料１５の対応する部分を受けて、被覆体１６内の材料１５を保持する開口または小穴２１を有する。被覆体１６はまた、好ましくは、内部材料１５と合致するように成形される。これは、図８にはくぼみとして、また図９には内部材料１５の対応する陥没部分２３によって受けられる突起部分２２としても示される（図９は異なる実施形態のものであるが、この特徴は図２〜図８に示す実施形態にも当てはまる）。
【００３５】
半分１２と１３の各々は、おもり１０が閉じた位置にあるとき、対応する陥凹部分２５によって受けられる隆起部分２４を有する（これは図８に最もよく示される）。二つの半分１２と１３が閉じた位置にあるとき、二つの半分１２と１３の内側表面は、糸１１がそこを通る導管路２６を形成する（これも図８に最もよく示される）。導管路２６に糸１１を合わせやすくするために、また糸１１が導管路２６に無理やり押し込まれるのを防ぐために、隆起部分２４と陥凹部分２５は導管路２６に隣接する。
【００３６】
隆起部分２４と陥凹部分２５のさらに別の利点は、これらの部分が、閉じた位置においておもり１０により大きな支持と強度を与えることである。例えば、一方の半分にかかった何らかの力は、ヒンジ１４とロッキング・タブ１７だけの場合とは対照的に、ヒンジ１４、ロッキング・タブ１７、及び隆起部分２４と陥凹部分２５にわたって拡散される。ヒンジ１４とロッキング・タブ１７はプラスチックで作られているので、したがって、隆起部分２４と陥凹部分２５の追加の強度／支持は重要であり得る。
【００３７】
図２〜図４、図５Ｄ、図５Ｅ、及び図９に例示されるように、ブランドまたは広告をそこに刻印、型彫、印刷、または貼り付けすることが可能な表面２７が備えられる。ブランドが付いている例が、図９に示される。さらに、鉛製のおもりのように標準の単一の材料によって通常提供され得る以外の、独特な見た目のおもりを提供するように被覆体１６に彩色及び／または手触りを与えることができる。例えば、被覆体１６は、異なるサイズまたは重さのおもりを示すために彩色されたり、扱う人にとってつかみ勝手をよくするように手触りを与えたりすることできる。
【００３８】
図９には、本発明の異なる実施形態が例示される。図９の実施形態は、ヒンジまたはヒンジ連結部位１４をもたず、代わりに留め具で合体する二つの分離した半分として示されている。ヒンジに代わる別のロッキング手段を有する以外に、図９の実施形態は、図１〜図８に示した実施形態と非常に似ている。図９から、内部材料１５は、比較的容易に被覆体１６から取り出して交換できることがわかるであろう。内部材料１５は、突起部分２２と陥没部分２３によって位置合わせされる。被覆体１６の開口２１の周囲の面域は、内部材料１５が通過でき、次に内部材料１５を所定の位置に保持する元の位置に戻せるように、一時的に変形される（押し返される）。内部材料１６は、開口２１の周囲の被覆体１６の部位に対応する陥没部位２８を有することができ、陥没部位２８は内部材料１６が被覆体１６に係合することを可能にするように補助する。
【００３９】
図９に示した実施形態にだけ被覆体１６から分離した内部材料１５が図示されるが、これだけに限定されると見なすべきではない。図１〜図８の実施形態に示した被覆体１６からでも内部材料１５を取り出すことが可能である。内部材料１５の取り出しと交換は、内部材料が損傷した（例えば、腐食した）場合に内部材料を交換できるだけではなく、異なる内部材料１５を挿入することによっておもり１０の性質を変えることも可能にする。例えば、内部材料１５は、高密度の材料から低密度の材料へ、その逆も同じく、容易に変更可能である。
【００４０】
使用時には、本発明のおもり１０は、（もし閉じていたならば）おもり１０を開き、導管路２６に糸１１を入れ、おもり１０を閉じて、おもり１０を望みどおりに使うことによって、すぐに容易に糸１１に取り付けることできる。次に、おもりを取り外すには、おもり１０を開いて、糸１１から取り外す。おもり１０を付けたり、または取り外したりするために、糸を切断したり、結んだり、または調整したりする必要はない。さらに、おもり１０は完全に再使用可能である。糸が使用中であっても、おもりを付けることができる。例えば、餌が水流とともに動いている場合に、水の上で糸におもり１０を付加でき、おもりは糸をたどって落下する。
【００４１】
おもり１０を糸の周りに付ける使い方について、典型的に、おもり１０を説明してきたが、おもり１０が糸に付着される（すなわち、糸の上を動かない）ように、おもり１０を構成できることも想定される。これは、導管路の直径または設計を変更することによって、または留める部分また拘止される部分を追加することによって実現可能である。
【００４２】
おもり１０は、大消費市場向け用途及び／または国内用途の両方を含む、いかなる相応の状況にも適合するように、大きくしたり、または小さくしたりすることができる。おもり１０のサイズは、様々な糸に対応するように、及び／または様々な用途におもり１０を適合させるように、変更可能である。
【００４３】
上述した材料は限定的なものとみなすべきではなく、簡単に入手できるその他の適当な材料も使用可能である。
【００４４】
上記で使用した用語は、説明のために用いたものであり、限定するものと見なすべきではないことを理解されたい。
【００４５】
上述の実施形態は、本発明の範囲を限定せずに、具体例を用いて本発明を説明するように意図されている。本発明は、当業者には容易に想到されるであろう、様々な修正と追加とともに実施されることが可能である。
【００４６】
特許請求の範囲を含む、本明細書中において、文脈が許す場合、「具備する」という表現及び「からなる」または「備える」などのその変異形は、言及された一つまたは複数の物の整数を含むが、必ずしもそれ以外の整数を除外しないと解釈されるものとする。
【図１】
0005596693.tif 000002
【図２】
0005596693.tif 000003
【図３】
0005596693.tif 000004
【図４】
0005596693.tif 000005
【図５Ａ】
0005596693.tif 000006
【図５Ｂ】
0005596693.tif 000007
【図５Ｃ】
0005596693.tif 000008
【図５Ｄ】
0005596693.tif 000009
【図５Ｅ】
0005596693.tif 000010
【図６】
0005596693.tif 000011
【図７】
0005596693.tif 000012
【図８】
0005596693.tif 000013
【図９】
0005596693.tif 000014